(57)【要約】【課題】容易に所定機能を有効状態と無効状態との間で切り換えることができる照明器具を提供する。【解決手段】照明器具１００は、光源１０を制御する所定機能を有する。照明器具１００は、光源１０と、受信部２０と、制御部３０とを備える。受信部２０は、所定信号を受信する。制御部３０は、所定信号の受信に応じて、所定機能を有効状態と無効状態との間で切り換える。所定機能は、点灯状態を制御する機能を含むことが好ましい。点灯状態は、光源１０が点灯している状態を示すことが好ましい。【選択図】図１
2019175666.tif 000002
【特許請求の範囲】
【請求項１】
光源を制御する所定機能を有する照明器具であって、
前記光源と、
所定信号を受信する受信部と、
前記所定信号の受信に応じて、前記所定機能を有効状態と無効状態との間で切り換える制御部と
を備える、照明器具。
【請求項２】
前記所定機能は、前記光源が点灯している状態を示す点灯状態を制御する機能を含む、請求項１に記載の照明器具。
【請求項３】
前記所定機能は、前記光源の調光機能または前記光源の調色機能の少なくとも一方を含む、請求項１または請求項２に記載の照明器具。
【請求項４】
前記所定機能は、外部スイッチによって電力の供給が一時的に停止された時間が所定時間範囲内であるか否かに基づいて、前記光源の調色機能または前記光源の調光機能の少なくとも一方を制御する機能を含む、請求項３に記載の照明器具。
【請求項５】
前記所定機能は、供給される電圧の波形が有する切り欠きのパターンに基づいて、前記光源の調光機能または調色機能の少なくとも一方を制御する機能を含む、請求項３に記載の照明器具。
【請求項６】
請求項１から請求項５のいずれか１項の照明器具を複数備える、照明システム。
【請求項７】
前記所定信号を前記複数の照明器具に送信する通信機器をさらに備える、請求項６に記載の照明システム。
【請求項８】
前記通信機器は、複数のボタンを有し、
前記通信機器は、前記複数のボタンのうち少なくとも１つの特定のボタンが操作されたことを認識することによって前記所定信号を送信する、請求項７に記載の照明システム。
【請求項９】
前記受信部が前記所定信号を受信した場合、前記複数の照明器具の前記制御部のそれぞれは、所定の点灯状態になるように前記光源を制御する、請求項６から請求項８のいずれか１項に記載の照明システム。
【発明の詳細な説明】
【技術分野】
【０００１】
本発明は、照明器具および照明システムに関する。
【背景技術】
【０００２】
従来、点灯する光の光量および相関色温度を変更することが可能な照明器具が知られている（例えば、特許文献１）。特許文献１に記載の照明器具は、照明の電源スイッチをオンからオフに切り換えた後、短時間で再びオンに切り換えることによって、点灯状態を変更することができる機能（プルレス操作機能）を有する。特許文献１に記載の照明器具では、照明の電源スイッチをオンからオフに切り換えた後、短時間で再びオンに切り換えることによって、「全光」、「調光」、「保安灯」の３つの点灯状態に切り換える。特許文献１に記載の照明器具では、再度全光状態となる２サイクル目まで操作した場合には、プルレス操作機能が無効になる。
【先行技術文献】
【特許文献】
【０００３】
【特許文献１】特開２０１７−２０８２３９号公報
【発明の概要】
【発明が解決しようとする課題】
【０００４】
しかしながら、特許文献１に記載の照明器具は、容易に所定機能（プルレス操作機能）を有効状態と無効状態との間で切り換えることができなかった。例えば、特許文献１に記載の照明器具は、２サイクル目まで操作した場合に、プルレス操作機能が無効になるため、意図せず所定機能が無効状態になる可能性があった。
【０００５】
本発明は上記課題に鑑みてなされたものであり、その目的は容易に所定機能を有効状態と無効状態との間で切り換えることができる照明器具および照明システムを提供することにある。
【課題を解決するための手段】
【０００６】
本願に開示する照明器具は、光源を制御する所定機能を有する。前記照明器具は、前記光源と、受信部と、制御部とを備える。前記受信部は、所定信号を受信する。前記制御部は、前記所定信号の受信に応じて、前記所定機能を有効状態と無効状態との間で切り換える。
【０００７】
本願に開示する照明器具において、前記所定機能は、点灯状態を制御する機能を含むことが好ましい。前記点灯状態は、前記光源が点灯している状態を示すことが好ましい。
【０００８】
本願に開示する照明器具において、前記所定機能は、前記光源の調光機能または前記光源の調色機能の少なくとも一方を含むことが好ましい。
【０００９】
本願に開示する照明器具において、前記所定機能は、外部スイッチによって電力の供給が一時的に停止された時間が所定時間範囲内であるか否かに基づいて、前記光源の調色機能または前記光源の調光機能の少なくとも一方を制御する機能を含むことが好ましい。
【００１０】
本願に開示する照明器具において、前記所定機能は、供給される電圧の波形が有する切り欠きのパターンに基づいて、前記光源の調光機能または調色機能の少なくとも一方を制御する機能を含むことが好ましい。
【００１１】
本願に開示する照明システムは、上記に記載の照明器具を複数備える。
【００１２】
本願に開示する照明システムにおいて、通信機器をさらに備えることが好ましい。前記通信機器は、前記所定信号を前記複数の照明器具に送信することが好ましい。
【００１３】
本願に開示する照明システムにおいて、前記通信機器は、複数のボタンを有することが好ましい。前記通信機器は、前記複数のボタンのうち少なくとも１つの特定のボタンが操作されたことを認識することによって前記所定信号を送信することが好ましい。
【００１４】
本願に開示する照明システムにおいて、前記受信部が前記所定信号を受信した場合、前記複数の照明器具の前記制御部のそれぞれは、所定の点灯状態になるように前記光源を制御することが好ましい。
【発明の効果】
【００１５】
本発明の照明器具によれば、容易に所定機能を有効状態と無効状態との間で切り換えることができる。
【図面の簡単な説明】
【００１６】
【図１】本発明の実施形態に係る照明器具を有する照明システムのブロック図である。
【図２】通信機器を示す模式図である。
【図３】本発明の実施形態に係る照明器具を有する照明システムのブロック図である。
【図４】（ａ）は、交流電源の出力波形を示す図である。（ｂ）は、照明制御装置の出力波形を示す。
【図５】本発明の実施形態に係る照明システムのブロック図である。
【発明を実施するための形態】
【００１７】
以下、本発明の実施形態について、図面を参照しながら説明する。なお、図中、同一または相当部分については同一の参照符号を付して説明を繰り返さない。
【００１８】
図１を参照して、本発明の実施形態に係る照明器具１００について説明する。図１は、本発明の実施形態に係る照明器具１００を有する照明システム２００のブロック図である。
【００１９】
図１に示すように、照明システム２００は、照明器具１００と、通信機器２１０とを備える。通信機器２１０は、例えば、リモートコントローラーである。通信機器２１０は、照明器具１００に所定信号を送信する。通信機器２１０の詳細については、図２を参照して後述する。
【００２０】
照明器具１００は外部スイッチＳを介して外部の交流電源Ａに接続している。照明器具１００は交流電源Ａに基づいて点灯する。照明器具１００は、一例として、吊下げ灯（例えば、ペンダントライト）、天井直付け灯（例えば、シーリングライト）、埋め込み灯（例えば、ダウンライト）、または、壁直付け灯（例えば、ブラケットライト）のいずれであってもよい。
【００２１】
外部スイッチＳは、例えば壁スイッチである。外部スイッチＳを切り換えることによって照明器具１００の点灯および消灯を切り換えることができる。具体的には、外部スイッチＳがオンになると、交流電源Ａからの電力が照明器具１００に供給され、照明器具１００は点灯する。また、外部スイッチＳがオフになると、交流電源Ａから照明器具１００に供給される電力が遮断され、照明器具１００は消灯する。
【００２２】
照明器具１００は、光源１０と、受信部２０と、制御部３０と、整流回路４０と、平滑回路５０と、定電流回路６０とを備える。光源１０は、第１光源１１と、第２光源１２と、第３光源１３とを有する。第１光源１１と第２光源１２とは主光源である。第３光源１３は、例えば、保安灯のような補助光源である。
【００２３】
第１光源１１は、第１光色の光を出射することが可能である。第１光色は、例えば、相関色温度２７００ケルビン（暖色）である。第１光源１１は、１つまたは複数の発光素子を含む。複数の発光素子は、例えば、白色ＬＥＤ（Ｌｉｇｈｔ  Ｅｍｉｔｔｉｎｇ  Ｄｉｏｄｅ）である。
【００２４】
第２光源１２は、第１光色とは異なる第２光色の光を出射することが可能である。第２光色は、例えば、相関色温度５０００ケルビン（寒色）である。第２光源１２は、１つまたは複数の発光素子を含む。発光素子は、例えば、白色ＬＥＤである。
【００２５】
第３光源１３は、第３光色の光を出射することが可能である。第３光色は、第１光色と同じでもよいし、異なっていても良い。第３光源１３は、例えば、相関色温度２７００ケルビン（暖色）である。第３光源１３は、１つまたは複数の発光素子を含む。発光素子は、例えば、白色ＬＥＤである。
【００２６】
整流回路４０は、交流電源Ａから供給された交流電圧を整流する。平滑回路５０は、整流回路４０の出力を平滑化する。整流回路４０および平滑回路５０により、交流電源Ａから供給された交流電圧が直流電圧に変換される。直流電圧は、定電流回路６０に入力される。
【００２７】
定電流回路６０は、第１光源１１、第２光源１２および第３光源１３に接続される。第１光源１１、第２光源１２および第３光源１３は、定電流回路６０に並列に接続される。定電流回路６０は、平滑回路５０の出力（直流電圧）に基づいて定電流を生成し、一定の電流を第１光源１１、第２光源１２および第３光源１３に供給する。
【００２８】
制御部３０は、例えば、マイクロコンピューターを含む。制御部３０は、記憶部３２を有する。記憶部３２は、起動時の点灯状態を示す起動情報を記憶する。記憶部３２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、およびＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を含む。
【００２９】
受信部２０は、通信機器２１０からの所定信号を受信する。本実施形態では受信部２０と通信機器２１０とは、赤外線や電波などを介した無線通信が可能である。受信部２０は、制御部３０と電気的に接続される。
【００３０】
照明器具１００は、光源１０を制御する所定機能を有する。所定機能は、点灯状態を制御する機能を含む。点灯状態は、光源１０が点灯している状態を示す。詳しくは、所定機能は、光源１０の調光機能または光源１０の調色機能の少なくとも一方を含む。
【００３１】
照明器具１００は、外部スイッチＳの切り換えに基づいて光源１０の点灯状態を切り換えて点灯する。詳しくは、制御部３０は、外部スイッチＳの切り換えに基づいて光源１０の調光または調色の少なくとも一方を制御して、光源１０を点灯する。
【００３２】
まず、制御部３０の光源１０の調光制御について説明する。制御部３０は、外部スイッチＳの切り換えに基づいて、光源１０の点灯状態を制御する。外部スイッチＳによって電力の供給が一時的に停止された時間が所定時間範囲内であることを制御部３０が検知した際、制御部３０は光源１０の点灯状態を切り換える。具体的には、外部スイッチＳがオンの状態からオフの状態に切り換えられ、その後、所定時間範囲内にオンの状態に切り換えられた場合、制御部３０は、光源１０の点灯状態を順次切り換える。本明細書において、外部スイッチＳがオンの状態からオフの状態に切り換えられ、所定時間範囲内にオンの状態に切り換えられる操作を、「プルレス操作」と記載することがある。所定時間は、例えば、０．１５秒以上２秒以下である。
【００３３】
プルレス操作が行われることによって、制御部３０は点灯状態を変更する。例えば、プルレス操作が行わることによって、制御部３０は、点灯状態が、「全灯」、「調光」および「保安灯」のいずれかに切り換わるように点灯状態を制御する。ここでは、プルレス操作が行われる度に、制御部３０は、点灯状態が、「全灯」、「調光」、「保安灯」の順に点灯状態を変更する。点灯状態が「保安灯」の際に、プルレス操作が行われると、点灯状態は「全灯」に戻る。
【００３４】
例えば、「全灯」は、１００％の光量で第１光源１１および／または第２光源１２が点灯する点灯状態を示す。「調光」は、調光されたレベルの光量で第１光源１１および／または第２光源１２が点灯する点灯状態を示す。例えば、「調光」では、５０％の光量で第１光源１１および／または第２光源１２が点灯する点灯状態を示す。「保安灯」は、第３光源１３が点灯する点灯状態を示す。
【００３５】
続いて、制御部３０の光源１０の調色制御について説明する。プルレス操作が行われることによって、制御部３０は点灯状態を変更する。例えば、プルレス操作が行わることによって、制御部３０は、点灯状態が、「寒色」、「中間色」および「暖色」のいずれかに切り換わるように点灯状態を制御する。ここでは、プルレス操作が行われる度に、制御部３０は、点灯状態が、「寒色」、「中間色」、「暖色」の順に点灯状態を変更する。点灯状態が「暖色」の際に、プルレス操作が行われると、点灯状態は「寒色」に戻る。
【００３６】
例えば、「寒色」は、第２光源１２のみが点灯する点灯状態を示す。「寒色」での相関色温度は、例えば、５０００ケルビンである。「中間色」は、第１光源１１および第２光源１２が点灯する点灯状態を示す。「中間色」での相関色温度は、例えば、３５００ケルビンである。「暖色」は、第２光源１２のみが点灯する点灯状態を示す。「暖色」での相関色温度は、例えば、２７００ケルビンである。「寒色」、「中間色」および「暖色」における光量は、例えば、１００％である。
【００３７】
電源投入時、すなわち照明器具１００を消灯から点灯に切り換えた際、制御部３０は、記憶部３２に記憶された起動情報に基づいて、点灯状態を制御する。電源投入時に「全灯」、「調光」および「保安灯」のいずれで点灯状態を開始するかは、起動情報として予め設定されていてもよいし、前回消灯時の点灯状態を起動情報として記憶しておき、前回消灯時の点灯状態で開始するようにしてもよい。
【００３８】
以上、説明したように、照明器具１００は、プルレス操作が行われたか否かに基づいて、点灯状態を変更する機能を有する。詳しくは、照明器具１００は、プルレス操作が行われたか否かに基づいて、光源１０の調光機能と、光源１０の調色機能とを制御する機能を有する。本明細書において、プルレス操作が行われたか否かに基づいて、点灯状態を変更する機能を「プルレス操作機能」と記載することがある。
【００３９】
図１および図２を参照して、通信機器２１０について説明する。図２は、通信機器２１０を示す模式図である。
【００４０】
図２に示すように、通信機器２１０は、複数のボタン２１１と、照明器具選択スイッチ２１２とを有する。複数のボタン２１１は、ＯＮ／ＯＦＦボタン２１１ａと、全灯ボタン２１１ｂと、光量アップボタン２１１ｃと、光量ダウンボタン２１１ｄと、相関色温度アップボタン２１１ｅと、相関色温度ダウンボタン２１１ｆと、保安灯ボタン２１１ｇとを含む。
【００４１】
ＯＮ／ＯＦＦボタン２１１ａは、照明器具１００をＯＮ／ＯＦＦ、すなわち、照明器具１００を点灯／消灯するためのボタンである。全灯ボタン２１１ｂは、点灯状態を「全灯」にするためのボタンである。光量アップボタン２１１ｃは、光量をアップするためのボタンである。光量ダウンボタン２１１ｄは、光量をダウンするためのボタンである。相関色温度アップボタン２１１ｅは、相関色温度をアップするためのボタンである。相関色温度ダウンボタン２１１ｆは、相関色温度をダウンするためのボタンである。保安灯ボタン２１１ｇは、保安灯、すなわち、第３光源１３を点灯させるためのボタンである。
【００４２】
照明器具選択スイッチ２１２は、スライドスイッチ２１２ａを有する。照明器具選択スイッチ２１２は、照明システム２００が複数の照明器具１００を備える場合、操作する照明器具１００を選択するためのスイッチである。スライドスイッチ２１２ａをスライドさせることによって、複数の照明器具１００のうち１つを選択することができる。
【００４３】
以上、図１および図２を参照して説明したように、照明器具１００は、プルレス操作または通信機器２１０を操作することによって、点灯状態を制御することができる。
【００４４】
照明器具１００は通信機器２１０の操作に応じて、プルレス操作機能を有効状態と無効状態との間で切り換えることができる。例えば、通信機器２１０に対して特殊な操作が行われた場合に、プルレス操作機能を有効状態と無効状態との間で切り換えることができる。特殊な操作は、通信機器２１０を操作する際、通常ではユーザーが使用しない操作である。特殊な操作は、例えば、２つ以上の特定のボタン２１１を組み合わせて押下する操作である。特殊な操作は、例えば、全灯ボタン２１１ｂを押しながら、保安灯ボタン２１１ｇを５回押す操作である。通信機器２１０は、特殊な操作を受け付けると、所定信号を照明器具１００に送信する。詳しくは、通信機器２１０は、複数のボタンのうち特定のボタン２１１が操作されたことを認識することによって所定信号を照明器具１００に送信する。所定信号は、例えば、特定のコードを示す信号である。
【００４５】
制御部３０は、所定信号の受信に応じて、所定機能を有効状態と無効状態との間で切り換える。ここでは、制御部３０は、所定信号の受信に応じて、プルレス操作機能を有効状態と無効状態との間で切り換える。具体的には、通信機器２１０から発信された所定信号を受信部２０が受信する。続いて、制御部３０は、所定信号の受信に応じて、プルレス操作機能を有効状態と無効状態との間で切り換える。例えば、プルレス操作機能が有効状態において所定信号を受信した場合、プルレス操作機能を有効状態から無効状態に切り換える。すなわち、照明器具１００の光源１０の点灯状態の切り換えを通信機器２１０の操作のみで制御できるようになる。一方、プルレス操作機能が無効状態において所定信号を受信した場合、プルレス操作機能を無効状態から有効状態に切り換える。すなわち、照明器具１００の光源１０の点灯状態の切り換えをプルレス操作および通信機器２１０の操作のいずれでも制御できるようになる。
【００４６】
なお、プルレス操作機能を有効化する特殊な操作と、プルレス操作機能を無効化する特殊な操作とを異ならせてもよい。例えば、通信機器２１０は、第１特殊操作と第２特殊操作とを認識するようにしてもよい。第１特殊操作は、プルレス操作機能を有効化するための特殊な操作である。第１特殊操作は、例えば、保安灯ボタン２１１ｇを押しながら、全灯ボタン２１１ｂを３回押す操作である。第２特殊操作は、プルレス操作機能を無効化するための特殊な操作である。第２特殊操作は、全灯ボタン２１１ｂを押しながら、保安灯ボタン２１１ｇを５回押す操作である。
【００４７】
通信機器２１０は、第１特殊操作を認識すると第１所定信号を照明器具１００に送信する。一方、通信機器２１０は、第２特殊操作を認識すると第２所定信号を照明器具１００に送信する。プルレス操作機能が無効状態において受信部２０が第１所定信号を受信した場合、制御部３０は、プルレス操作機能を無効状態から有効状態に切り換える。一方、プルレス操作機能が有効状態において受信部２０が第２所定信号を受信した場合、制御部３０は、プルレス操作機能を有効状態から無効状態に切り換える。
【００４８】
以上、図１および図２を参照して説明したように、照明器具１００は、所定信号の受信に応じて、所定機能を有効状態と無効状態との間で切り換える。したがって、容易に所定機能を有効状態と無効状態との間で切り換えることができる。
【００４９】
また、通信機器２１０は、複数のボタン２１１のうち少なくとも１つの特定のボタン２１１が操作されたことを認識することによって、所定信号を送信する。したがって、意図せず所定機能の無効状態と有効状態とが切り換えられてしまう可能性を抑制することができる。
【００５０】
図３および図４を参照して、本発明の実施形態に係る照明器具１００について説明する。図３は、本発明の実施形態に係る照明器具１００を有する照明システム２００のブロック図である。図４（ａ）は、交流電源Ａの出力波形を示す図である。図４（ｂ）は、照明制御装置２２０の出力波形を示す。照明システム２００がさらに照明制御装置２２０を有する点を除いて、図３に示す照明システム２００は、図１に示す照明システム２００と同様の構成を有するため、重複部分については説明を省略する。
【００５１】
図３に示すように、照明システム２００は、照明器具１００と、通信機器２１０とに加えて、さらに照明制御装置２２０を備える。
【００５２】
照明制御装置２２０は、交流電源Ａに電気的に接続される。照明制御装置２２０は、交流電源Ａから給電される。照明器具１００は、照明制御装置２２０を介して交流電源Ａに電気的に接続され、交流電源Ａから給電される。
【００５３】
照明制御装置２２０は、照明器具１００から発生する光の光量および光色（相関色温度）を制御する機器である。すなわち、照明制御装置２２０の起動時、または照明器具１００から発生する光の光量および光色またはそれらのうちの一方を変更する際に、光量および光色を設定する信号を照明器具１００へ送信する。
【００５４】
図４（ａ）に示すように、照明制御装置２２０には、正弦波状の交流電圧３０１が供給されている。
【００５５】
照明器具１００から発生する光の光量および光色を変更するように照明制御装置２２０が操作された場合、図４（ｂ）に示すように、制御信号設定区間で設定された切り欠き３０３のパターンを波形が有するように、照明制御装置２２０は波形を出力する。詳しくは、照明制御装置２２０は、光量および光色のデータに応じて、ゼロクロスポイント３０２に切り欠き３０３を有するように、波形を出力する。ゼロクロスポイント３０２は、電圧が０Ｖになるポイントである。例えば、照明制御装置２２０は、デジタルデータ「１」に対応して、ゼロクロスポイント３０２において切り欠き３０３を有するように、波形を出力する。一方、照明制御装置２２０は、デジタルデータ「０」に対応して、ゼロクロスポイント３０２において切り欠き３０３を有しないように、波形を出力する。このように、照明制御装置２２０は、交流電圧３０１にデータ信号を重畳することによって生成した電圧波形を出力する。
【００５６】
照明器具１００は、所定機能を有する。所定機能は、供給される電圧の波形が有する切り欠き３０３のパターンに基づいて、光源１０の調光機能または調色機能の少なくとも一方を照明器具１００が制御する機能である。詳しくは、制御部３０は、照明制御装置２２０から出力された電圧波形に基づいて、光源１０の調光機能または調色機能の少なくとも一方を制御する。例えば、制御部３０は、交流電圧３０１が切り欠き３０３を有するか否かを検出することによって、交流電圧３０１に重畳されたデータ信号を読み出す。本明細書において、供給される電圧の波形が有する切り欠き３０３のパターンに基づいて、光源１０の調光機能または調色機能の少なくとも一方を制御する機能を「切り欠き制御機能」と記載することがある。
【００５７】
また、照明器具１００は、図１を参照して説明した照明器具１００と同様に、通信機器２１０を操作することによって点灯状態を制御することができる。したがって、照明器具１００は、照明制御装置２２０を操作または通信機器２１０を操作することによって、点灯状態を制御することができる。
【００５８】
制御部３０は、所定信号の受信に応じて、所定機能を有効状態と無効状態との間で切り換える。ここでは、制御部３０は、所定信号の受信に応じて、切り欠き制御機能を有効状態と無効状態との間で切り換えることができる。具体的には、通信機器２１０から発信された所定信号を受信部２０が受信する。続いて、制御部３０は、所定信号の受信に応じて、切り欠き制御機能を有効状態と無効状態との間で切り換える。例えば、切り欠き制御機能が有効状態において所定信号を受信した場合、制御部３０は、切り欠き制御機能を有効状態から無効状態に切り換える。すなわち、照明器具１００の光源１０の点灯状態の切り換えを通信機器２１０の操作のみで制御できるようになる。一方、切り欠き制御機能が無効状態において所定信号を受信した場合、制御部３０は、切り欠き制御機能を無効状態から有効状態に切り換える。すなわち、照明器具１００の光源１０の点灯状態の切り換えを照明制御装置２２０の操作および通信機器２１０の操作のいずれでも制御できるようになる。
【００５９】
以上、図３および図４を参照して説明したように、照明器具１００は、所定信号の受信に応じて、所定機能を有効状態と無効状態との間で切り換える。したがって、容易に所定機能を有効状態と無効状態との間で切り換えることができる。
【００６０】
図１〜図４を参照して説明した照明システム２００は、照明器具１００を１つ備えていたが、照明システム２００は、複数の照明器具１００を備えていてもよい。
【００６１】
図１および図５を参照して、本発明の実施形態に係る照明システム２００について説明する。図５は、本発明の実施形態に係る照明システム２００のブロック図である。第１照明器具１００ａ、第２照明器具１００ｂおよび第３照明器具１００ｃは図１に示す照明器具１００と同様な構成を有する。
【００６２】
図５に示すように、照明システム２００は、複数の照明器具１００と、通信機器２１０とを備える。複数の照明器具１００は、第１照明器具１００ａと、第２照明器具１００ｂと、第３照明器具１００ｃとを含む。第１照明器具１００ａ、第２照明器具１００ｂ、第３照明器具１００ｃのそれぞれは、図１に示された照明器具１００と同様に、光源１０と、受信部２０と、制御部３０と、整流回路４０と、平滑回路５０と、定電流回路６０とを備える。図５に示された第１照明器具１００ａと、第２照明器具１００ｂと、第３照明器具１００ｃとの各々の光源１０は、図１に示された照明器具１００の光源１０と同様に、第１光源１１と、第２光源１２と、第３光源１３とを有する。通信機器２１０は、所定信号を複数の照明器具１００に送信する。
【００６３】
第１照明器具１００ａ、第２照明器具１００ｂおよび第３照明器具１００ｃは、交流電源Ａおよび外部スイッチＳに対して並列に接続されている。外部スイッチＳのプルレス操作を行うことによって、第１照明器具１００ａ、第２照明器具１００ｂおよび第３照明器具１００ｃの点灯状態を同時に切り換えることができる。通常の使用形態としては、第１照明器具１００ａ、第２照明器具１００ｂおよび第３照明器具１００ｃの点灯状態は、全て同じ状態とする。例えば、初期状態において第１照明器具１００ａ、第２照明器具１００ｂおよび第３照明器具１００ｃの光源１０の点灯状態が全て「全灯」であるときに、外部スイッチＳをプルレス操作すると、第１照明器具１００ａ、第２照明器具１００ｂおよび第３照明器具１００ｃの点灯状態が全て「調光」に切り換わる。プルレス操作により点灯状態を「調光」から「保安灯」に切り換える際、および「保安灯」から「調光」に切り換える際も同様に、第１照明器具１００ａ、第２照明器具１００ｂおよび第３照明器具１００ｃの点灯状態が全て同時に切り換わる。これにより、例えば１つの居室内に設置された第１照明器具１００ａ、第２照明器具１００ｂおよび第３照明器具１００ｃの点灯状態を、１つの外部スイッチＳのプルレス操作で同時に切り換えることができる。
【００６４】
ここで、第１照明器具１００ａ、第２照明器具１００ｂおよび第３照明器具１００ｃのそれぞれに備わる制御部３０に、プルレス操作の検出精度にバラツキがある場合がある。つまり、制御部３０において、外部スイッチＳによって電力の供給が一時的に停止された時間の検出精度に、バラツキがある場合がある。例えば、外部スイッチＳをオフ操作してからオン操作するまでの時間（オフ−オン時間）が１．８秒である場合、第１照明器具１００ａの制御部３０はプルレス操作されたと判定し、制御部３０は点灯状態を切り換えるように光源１０を制御するが、第２照明器具１００ｂの制御部３０はプルレス操作されたと判定せず、点灯状態を切り換えない場合がある。これは、各照明器具１００の制御部３０のオフ−オン時間の検出精度にバラツキがあるためである。したがって、第１照明器具１００ａの点灯状態が「全灯」から「調光」に切り換わり、第２照明器具１００ｂの点灯状態が「全灯」のままで点灯する状態になる。すなわち、照明器具１００の点灯状態に不一致が生じることとなる。
【００６５】
照明器具１００の点灯状態に不一致が生じてしまうと、以降のプルレス操作では点灯状態の不一致を維持したまま各照明器具１００の点灯状態が順次切り換わってしまうため、元の点灯状態（全ての照明器具１００が同じ点灯状態）に復帰させることは極めて困難である。また、外部スイッチＳをオフ操作して全ての照明器具１００を消灯状態にしても、各照明器具１００の記憶部３２が消灯直前の点灯状態を記憶しているため、外部スイッチＳを次回オンにしたときの点灯状態は不一致のままである。
【００６６】
本実施形態では、このような照明器具１００の点灯状態の不一致が発生した場合、プルレス操作機能を有効状態から無効状態に変更することによって、照明器具１００の点灯状態を一致させることができる。
【００６７】
まず、通信機器２１０に対して特殊な操作が行われることによって、通信機器２１０が所定信号を照明器具１００に送信する。受信部２０が所定信号を受信した場合、複数の照明器具１００の制御部３０のそれぞれは、プルレス操作機能を無効状態に変更する。さらに、受信部２０が所定信号を受信した場合、複数の照明器具１００の制御部３０のそれぞれは、所定の点灯状態になるように光源１０を制御する。例えば、受信部２０が所定信号を受信した場合、点灯状態が「全灯」になるように制御する。したがって、第１照明器具１００ａ、第２照明器具１００ｂおよび第３照明器具１００ｃの光源１０の点灯状態が全て「全灯」に切り換わる。
【００６８】
以上、図１および図５を参照して説明したように、受信部２０が所定信号を受信した場合、複数の照明器具１００の制御部３０のそれぞれは、所定の点灯状態になるように光源１０を制御する。したがって、万が一、第１照明器具１００ａ、第２照明器具１００ｂおよび第３照明器具１００ｃの点灯状態が異なっていたとしても、通信機器２１０に対して特殊な操作をすることによって、第１照明器具１００ａ、第２照明器具１００ｂおよび第３照明器具１００ｃ全ての点灯状態を合わせることができる。
【００６９】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００７０】
（１）図１から図５を参照して説明した照明器具１００は、調光機能および調色機能を有していたが、本発明はこれに限定されない。例えば、照明器具１００は、調光機能および調色機能のいずれか一方のみを有していてもよい。
【００７１】
（２）図２を参照して説明した通信機器２１０は、２つ以上の特定のボタン２１１を組み合わせて操作されたことを認識することによって所定信号を送信していたが、本発明はこれに限定されない。例えば、通信機器２１０は、１つの特定のボタンが操作されたことを認識することによって所定信号を送信するようにしてもよい。この場合、例えば、所定機能の無効状態と有効状態とを切り換えるための専用のボタンを通信機器２１０は有する。
【００７２】
（３）図２を参照して説明した通信機器２１０は、リモートコントローラーであったが、本発明はこれに限定されない。例えば、通信機器２１０は、スマートフォンでもよい。スマートフォンが操作されることによって、ネットワークを介して照明器具１００に所定信号が送信される。
【符号の説明】
【００７３】
１０      光源
２０      受信部
３０      制御部
３２      記憶部
１００    照明器具
１００ａ  第１照明器具
１００ｂ  第２照明器具
１００ｃ  第３照明器具
２００    照明システム
２１０    通信機器
２１１    ボタン
３０３    切り欠き
【図１】
2019175666.tif 000003
【図２】
2019175666.tif 000004
【図３】
2019175666.tif 000005
【図４】
2019175666.tif 000006
【図５】
2019175666.tif 000007